(57)【要約】【課題】  無線ネットワーク間に容易なハンドオフを可能にする無線ネットワーク装置及びそれを用いた通信方法を提供する。【解決手段】  所定の無線ネットワーク内で使用するアドレスを生成するアドレス生成部と、無線ネットワークのルータ情報を設定するルータ情報設定部と、ルータ情報によってアドレス生成部及びルータ情報設定部の動作を制御し、ルータ情報に該当する無線ネットワークへのハンドオフを行う制御部と、を備える無線ネットワーク装置。【選択図】図３
2006115514.tif 000002
【特許請求の範囲】
【請求項１】
所定の無線ネットワーク内で使用するアドレスを生成するアドレス生成部と、
前記無線ネットワークのルータ情報を設定するルータ情報設定部と、
前記ルータ情報によって前記アドレス生成部及びルータ情報設定部の動作を制御し、前記ルータ情報に該当する無線ネットワークへのハンドオフを行う制御部と、を備える無線ネットワーク装置。
【請求項２】
前記制御部の制御によって前記ルータ情報による無線ネットワークへのハンドオフを行うハンドオフ実行部をさらに備えることを特徴とする請求項１に記載の無線ネットワーク装置。
【請求項３】
前記制御部は、前記ルータ情報を受信する情報受信部と、前記受信されたルータ情報に該当する無線ネットワークを検出する検出部と、前記検出結果によって前記受信されたルータ情報に該当する無線ネットワークへのハンドオフ実行如何を選択する選択部と、前記ハンドオフの実行時、前記受信されたルータ情報を通じてルータ情報を設定する情報管理部と、前記ハンドオフ実行部を通じてハンドオフを行うハンドオフ設定部と、を備えることを特徴とする請求項２に記載の無線ネットワーク装置。
【請求項４】
前記検出部は、受信されたルーティング情報を既保存されたルーティング情報と比較して同じネットワークであるか否かを判断することを特徴とする請求項３に記載の無線ネットワーク装置。
【請求項５】
前記選択部は、該当無線ネットワークに属したゲートウェイとのホップ数及びトラフィックのうち、少なくとも１つを通じてハンドオフ如何を決定することを特徴とする請求項４に記載の無線ネットワーク装置。
【請求項６】
前記情報受信部は、ルータ情報を受信した場合にのみ前記受信されたルータ情報を前記検出部に伝送することを特徴とする請求項５に記載の無線ネットワーク装置。
【請求項７】
所定の無線ネットワークについてのルータ情報を受信する段階と、
前記受信されたルータ情報によってアドレス生成及びルータ情報を設定する段階と、
前記受信されたルータ情報によってハンドオフを行う段階と、を含む無線ネットワーク装置を用いた通信方法。
【請求項８】
前記ハンドオフを行う段階は、前記受信されたルータ情報による無線ネットワークを検出する段階と、前記検出された無線ネットワークが以前に属した無線ネットワークであるか否かを判断する段階と、前記判断結果によって前記ハンドオフ実行如何を決定する段階と、を含むことを特徴とする請求項７に記載の無線ネットワーク装置を用いた通信方法。
【請求項９】
前記ハンドオフ如何は、以前に属した無線ネットワークのゲートウェイとのホップ数及び現在属している無線ネットワークのゲートウェイとのホップ数とを比較して決定されることを特徴とする請求項８に記載の無線ネットワーク装置を用いた通信方法。
【請求項１０】
前記ハンドオフを行う段階は、前記ハンドオフが実行される場合、前記ルータ情報を現在属している無線ネットワークのルータ情報に更新する段階を含むことを特徴とする請求項９に記載の無線ネットワーク装置を用いた通信方法。
【発明の詳細な説明】
【技術分野】
【０００１】
本発明は、無線ネットワーク装置及びそれを用いた通信方法に係り、より詳細には、無線ネットワーク間に容易なハンドオフを可能ならしめる無線ネットワーク装置及びそれを用いた通信方法に関する。
【背景技術】
【０００２】
最近、移動通信機器が急速に普及されつつあり、無線環境でもインターネットサービスが必要となり、ユーザは、移動性を保証されつつ、インターネットを使用することを希望している。
【０００３】
このような無線インターネットサービスのために無線LAN、モバイルＩＰ、ＭＡＮＥＴ（Ｍｏｂｌｉｅ  ＡｄＨｏｃ  Ｎｅｔｗｏｒｋ）などについての研究が活発に行われつつある。
【０００４】
その中、ＭＡＮＥＴは、ＩＰｖ６（Ｉｎｔｅｒｎｅｔ  Ｐｒｏｔｏｃｏｌ  ｖｅｒｓｉｏｎ  ６）と関連して家庭内のあらゆる端末を有線、無線で連結可能なホームネットワークとあらゆる移動端末にＩＰを与えて有無線統合データ通信を支援できるソリューションとして脚光を浴びている。
【０００５】
ＩＰｖ６は、ＩＰｖ４に比べてアップグレードされたバージョンであって、ＩＰｖ６は、ＩＰｖ４と互換性があり、ＡＴＭのような高速網だけでなく、無線網のような低速の網でも効率よく動作するように設計された。
【０００６】
既存のＩＰｖ４によるインターネットでは、接続する端末の増加によって新たな端末に割り当てるアドレスが不足した状態が発生し、ＩＰｖ６を開発するにあたって優先的に考慮された要素は、インターネットに接続される装置を増加させることである。このために、ＩＰｖ６のアドレスサイズはＩＰｖ４のアドレスサイズである３２ビットに比べて増加した１２８ビットを有している。
【０００７】
図１は、一般的な無線ネットワークの構造が示された図面であって、所定の無線ネットワーク１０のゲートウェイ１１は該当無線ネットワークに存在する複数の移動端末機（ＭＮ）にアドレス自動設定のために必要なルータ情報を伝送する。
【０００８】
この際、前記ルータ情報は、ゲートウェイ１１のアドレス及びライフタイムなどを含み、このようなルータ情報を通じて各移動端末機は自身がどの無線ネットワークに属しているかを確認し、アドレスを自動設定する。
【０００９】
一方、複数の移動端末機の外部網に対する接続は、いずれもゲートウェイ１１を通じてなされるので、ゲートウェイ１１及びゲートウェイ１１に近接な移動端末機で瓶の首現象が発生する。
【００１０】
したがって、図２のように２つのゲートウェイ１１、１２を無線ネットワーク１０に設けて瓶の首現象を減少させると同時に、パケット伝送遅延時間を短縮させる。
【００１１】
この際、図２のように複数のゲートウェイ１１、１２が使われる場合、ＩＰｖ６のアドレス自動生成によって臨時アドレスを生成し、生成された臨時アドレスを、ＭＡＮＥＴ内で他の移動端末機が使用しているか否かを確認するために、ＮＳ（Ｎｅｉｇｈｂｏｒ  Ｓｏｌｉｃｉｔａｔｉｏｎ）メッセージを自身から１ホップ内の移動端末機に伝送する。具体的に、自身から１ホップ内の移動端末機でＮＳメッセージを伝送し、所定時間応答がない場合、該当臨時アドレスは重畳されていないものと判断する。
【００１２】
また、各移動端末機は、複数のゲートウェイからルータ情報を受信してさらに近接なゲートウェイを通じて外部網に接続する。したがって、近接なゲートウェイが以前のゲートウェイと異なるならば、ハンドオフが実行されねばならない。
【００１３】
この際、ＭＡＮＥＴは、マルチホップを有するゲートウェイ及び移動端末機からなるために、自身から１ホップ内の移動端末機とのアドレス重畳検査では、２ホップ以上のマルチホップを有する移動端末機のアドレスとの重畳如何を検査できなくなる。
【００１４】
したがって、ゲートウェイの不足によるパケット伝送遅延を解消し、マルチホップを有するＭＡＮＥＴでのアドレス重畳をさらに確実に検査できる方案が要求されている。
【００１５】
特許文献１は、それぞれのインターフェースごとに固有なインターフェースＩＤを使用してルーティングテーブルを管理可能にして多重ソースアドレスによるルーティングテーブルの混乱を防止するＩＰＶ６でインターフェースＩＤを用いたルーティングテーブル管理方法を開示しているが、これは１つのインターフェースに多重のＩＰｖ６リンクローカルアドレスが指定されることによって、発生しうるルーティング問題を解決するためのものであって、移動端末機のハンドオフ時にマルチホップを有する移動端末機とのアドレス重畳を検査し難いという問題点がある。
【特許文献１】韓国公開特許２００４−００４５１８８号明細書
【発明の開示】
【発明が解決しようとする課題】
【００１６】
本発明は、ＭＡＮＥＴのような無線ネットワーク環境で複数の無線ネットワーク間ハンドオフがなされるようにし、容易にアドレスの重畳を防止できる無線ネットワーク装置及びそれを用いた通信方法を提供するところにその目的がある。
【００１７】
本発明の目的は、以上で言及した目的に制限されず、言及されていない他の目的は下の記載から当業者に明確に理解されうる。
【課題を解決するための手段】
【００１８】
前記目的を達成するための本発明の実施形態による無線ネットワーク装置は、所定の無線ネットワーク内で使用するアドレスを生成するアドレス生成部と、前記無線ネットワークのルータ情報を設定するルータ情報設定部と、前記ルータ情報によって前記アドレス生成部及びルータ情報設定部の動作を制御し、前記ルータ情報に該当する無線ネットワークへのハンドオフを行う制御部と、を備える。
【００１９】
また、前記目的を達成するための本発明の実施形態による無線ネットワーク装置を用いた通信方法は、所定の無線ネットワークについてのルータ情報を受信する段階と、前記受信されたルータ情報によってアドレス生成及びルータ情報を設定する段階と、前記受信されたルータ情報によってハンドオフを行う段階と、を含む。
【００２０】
その他の実施形態の具体的な事項は詳細な説明及び図面に含まれている。
【発明の効果】
【００２１】
本発明の無線ネットワーク装置及びそれを用いた通信方法によれば、次のような効果を１つあるいはそれ以上有する。
【００２２】
第１に、複数の無線ネットワーク間にハンドオフされる無線ネットワーク装置のアドレス重畳如何をマルチホームネットワークで判断しうる。
【００２３】
第２に、複数の無線ネットワーク間にハンドオフの適切な時期及び伝送遅延時間を最小化しうる。
【発明を実施するための最良の形態】
【００２４】
本発明の利点及び特徴、そしてこれを達成する方法は添付された図面に基づいて詳細に後述されている実施形態を参照すれば明確になる。しかし、本発明は以下で開示される実施形態に限定されるものではなく、この実施形態から外れて多様な形に具現でき、本明細書で説明する実施形態は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００２５】
以下、添付された図面を参照して本発明の望ましい実施形態を詳細に説明する。
図３は、本発明の実施形態による無線ネットワーク装置を示している。
示されたように、本発明の実施形態による無線ネットワーク装置１００は、所定ネットワーク内で受信されたルータ情報によってアドレスを生成し、生成されたアドレスが該当ネットワーク内の他の無線ネットワーク装置と重畳されているか否かを判断するアドレス生成部１１０と、受信されたルータ情報によって現在属しているネットワークのゲートウェイについてのルータ情報を設定するルータ情報設定部１２０と、受信されたルータ情報によってハンドオフの実行如何を判断し、判断結果によってアドレス生成部１１０及びルータ情報設定部１２０の動作を制御する制御部１３０を含みうる。
【００２６】
また、制御部１３０の制御によってハンドオフを行うハンドオフ実行部１４０と、ルータ情報受信及びハンドオフ実行時、アドレス生成部１１０により生成されたアドレスの重畳如何を少なくとも１ホップ以上のマルチホップを有する他の無線ネットワーク装置となされるようにするメッセージ送受信部１５０と、をさらに備えることができる。
【００２７】
この際、本発明の実施形態による制御部１３０を図４に基づいてさらに詳細に説明する。
示されたように、本発明の実施形態による制御部１３０は、メッセージ送受信部１５０を通じて所定のネットワークに属したゲートウェイからルータ情報を受信する情報受信部１３１と、情報受信部１３１を通じて受信されたルータ情報を通じて新たなネットワークであるか否かを判断する検出部１３２と、検出部１３２の判断結果、新たなネットワークに移動した場合、移動したネットワークへのハンドオフ如何を決定する選択部１３３と、新たなネットワークへの移動時、アドレス生成部１１０から生成されたアドレスによってルータ情報設定部１２０を制御してゲートウェイ情報を変更する情報管理部１３４と、変更されたゲートウェイ情報によってハンドオフ実行部１４０を制御して、新たなネットワークへのハンドオフを行うハンドオフ設定部１３５と、無線ネットワーク装置の電源がオンになった場合、所定の初期化過程を行う初期化部１３６を備えうる。
【００２８】
情報受信部１３１は、メッセージ送受信部１５０を通じて受信された情報がルータ情報の場合にのみ受信されたルータ情報を検出部１３２に伝送し、検出部１３２は受信されたルータ情報を通じて新たなネットワークであるか否かを判断しうる。この際、受信されるルータ情報は、該当ネットワークに属したゲートウェイのアドレス、ライフタイム及びＤＮＳ情報などを含みうる。
【００２９】
以下、既存に属していたネットワークを「ホームネットワーク」と称し、既存に属していたネットワークから移動した新たなネットワークを「外部ネットワーク」と称する。
【００３０】
言い換えれば、検出部１３２は、既保存されたネットワークのルータ情報がホームネットワークである場合、情報受信部１３１を通じて受信されたルータ情報がホームネットワークであるか否かによって外部ネットワークに移動したか否かを判断しうる。
【００３１】
選択部１３３は、検出部１３２の判断結果によって外部ネットワークに移動した場合、外部ネットワークへのハンドオフを行うか否かを選択しうる。この際、選択部１３３は、ルータ情報が外部ネットワークに属したゲートウェイから受信された場合、無条件外部ネットワークへのハンドオフを決定するものではなく、所定のハンドオフ実行条件によって外部ネットワークへのハンドオフを選択しうる。
【００３２】
このようなハンドオフ実行条件は、ホームネットワークに属したゲートウェイと外部ネットワークに属したゲートウェイとのホップ数及びトラフィックなどを含み、選択部１３３は、前述したハンドオフ実行条件によって選択的にハンドオフを実行可能にする。この際、ハンドオフ実行条件は、ネットワーク環境によって変更されうる。
【００３３】
一方、検出部１３２は、選択部１３３の選択結果、ハンドオフが実行される場合、アドレス生成部１１０に外部ネットワークで使われる臨時アドレス（Ｃａｒｅ  Ｏｆ  Ａｄｄｒｅｓｓ）を生成する命令を伝送する。
【００３４】
この際、臨時アドレスは、モバイルＩＰｖ６規格によるものであって、無線ネットワーク装置がホームネットワークから外部ネットワークに移動する場合、無線ネットワーク装置の現在位置を示す臨時アドレスを与えられる。また、ホームネットワークのゲートウェイは、無線ネットワーク装置がホームネットワークから使用したアドレスと臨時アドレスとの間のマッピング情報を保持し、このようなマッピング情報を通じてパケットがホームネットワークのゲートウェイを経ずに、直接臨時アドレスを通じて伝送されうる。
【００３５】
以後、アドレス生成部１１０により生成された臨時アドレスは、情報受信部１３１に受信されて情報管理部１３４に伝送される。この際、情報管理部１３４は受信されたアドレスがホームネットワークで使われたアドレスであるか否かを判断して、ハンドオフ如何を確認しうる。具体的に、情報管理部１３４は臨時アドレスが伝送される場合、ハンドオフが実行されると判断し、そうでない場合には、無線ネットワーク装置がホームネットワークに位置すると判断しうる。
【００３６】
情報管理部１３４は、臨時アドレスが伝送されれば、ルータ情報設定部１２０を制御してゲートウェイ情報を外部ネットワークに属したゲートウェイ情報に更新する命令を伝送する。
【００３７】
また、ゲートウェイの情報更新がなされると同時に、ハンドオフ設定部１３５はハンドオフ実行部１４０を制御してハンドオフを実行させうる。
【００３８】
一方、初期化部１３６は、無線ネットワーク装置の電源がオンになる場合、ホームネットワークのアドレスの存否を判断し、判断結果によってホームネットワークのアドレスを設定する役割を行える。この際、ホームネットワークのアドレスが存在しなければ、所定のネットワークからルータ情報を受信待機する状態に変更しうる。
【００３９】
以下、前述したような無線ネットワーク装置を用いた通信方法を説明する。
図５は、本発明の実施形態による無線ネットワーク装置の電源がオンになった場合の初期化方法を示している。
示されたように、まず無線ネットワーク装置の電源がオンになれば、初期化部１３６は他の無線ネットワーク装置との通信のためのソケットを設定する（Ｓ１１０）。
【００４０】
次いで、初期化部１３６は、所定のネットワークについてのルータ情報の存否を判断する（１２０）。この際、所定のネットワークについてのルータ情報はホームネットワークまたは外部ネットワークであって、存在するルータ情報によってホームネットワークまたは外部ネットワークに対する初期化を行える。
【００４１】
本発明の実施形態では、無線ネットワーク装置がホームネットワークに位置する場合を例として説明する。
判断の結果、ホームネットワークについてのルータ情報が存在する場合、初期化部１３６は、ホームネットワークについてのルータ情報を含むメッセージを生成し（Ｓ１３０）、生成されたメッセージをアドレス生成部１１０に伝送する（Ｓ１４０）。
【００４２】
この際、アドレス生成部１１０は、伝送されたメッセージに含まれたルータ情報を通じて所定のアドレスを生成し、生成されたアドレスが該当ネットワークの他の無線ネットワーク装置のアドレスと重畳されているか否かを判断できる。
【００４３】
もし、所定のネットワークについてのルータ情報が存在しない場合、該当ネットワークのゲートウェイからルータ情報を受信するまで、待機状態を保持する（Ｓ１５０）。
【００４４】
図６は、本発明の実施形態による無線ネットワーク装置がホームネットワークから外部ネットワークに移動して新たなルータ情報を受信した場合、移動した外部ネットワークへのハンドオフを決定する方法が示された図面である。
【００４５】
示されたように、情報受信部１３１を通じて図７のような所定ネットワークのルータ情報が受信されれば、受信されたルータ情報は検出部１３２に伝送される（Ｓ２１０）。この際、受信されたルータ情報は、場合に応じてＤＮＳ情報が含まれることがあり、ＤＮＳ情報は図８のようなＤＮＳサーバーアドレス（ＤＮＳ  Ｓｅｒｖｅｒ  Ａｄｄｒｅｓｓ）を含みうる。
【００４６】
検出部１３２は、受信されたルータ情報を通じて現在属しているネットワークがホームネットワークであるか、外部ネットワークであるかを判断しうる（Ｓ２２０）。
【００４７】
判断の結果、ホームネットワークのルータ情報である場合（Ｓ２３０）、既存にホームネットワーク内での動作をそのまま保持するようになる（Ｓ２４０）。
【００４８】
もし、判断の結果、外部ネットワークのルータ情報である場合には、外部ネットワークへのハンドオフを行うか否かを決定する（Ｓ２５０）。
【００４９】
一方、受信されたルータ情報が存在しないか、前述した図５のＳ１５０段階のようにルータ情報を受信している場合には、該当ネットワークのルータ情報を要請するためのメッセージをアドレス生成部１１０に伝送し、伝送されたメッセージによってルータ情報を待機する状態を保持するようになる。
【００５０】
図９は、前述した図６のＳ２５０段階でハンドオフ如何を決定する方法が示された図面である。
示されたように、検出部１３２は、受信されたルータ情報の検出の結果、ホームネットワークではない外部ネットワークのルータ情報が受信された場合、外部ネットワークのゲートウェイまでのホップ数を算出する（Ｓ２５１）。
【００５１】
以降、選択部１３３は、既保存されたゲートウェイリストに受信されたルータ情報に該当するゲートウェイの存否を判断する（Ｓ２５２）。
【００５２】
判断の結果、受信されたルータ情報に該当するゲートウェイが存在する場合、選択部１３３はホームネットワークのゲートウェイまでのホップ数と外部ネットワークのゲートウェイまでのホップ数とを比較する（Ｓ２５３）。
【００５３】
比較の結果、外部ネットワークのゲートウェイまでのホップ数がホームネットワークのゲートウェイまでのホップ数より小さい場合、外部ネットワークのゲートウェイに所定の加重値を追加する（Ｓ２５４）。
【００５４】
外部ネットワークのゲートウェイに対する加重値が所定の基準値を超える場合（Ｓ２５５）、外部ネットワークでハンドオフを行うことと決定する（Ｓ２５６）。
【００５５】
この際、ハンドオフ実行が決定された場合、検出部１３２はアドレス生成部１１０に図１０のような臨時アドレス生成要請メッセージを伝送する（Ｓ２５７）。
【００５６】
一方、受信されたルータ情報にＤＮＳ情報が含まれた場合には、図１１のようなＤＮＳ情報を臨時アドレス生成要請メッセージに含めて伝送しうる。
【００５７】
もし、受信されたルータ情報によるゲートウェイがゲートウェイリストに存在していない場合、ゲートウェイをアップデートし（Ｓ２５８）、ホームネットワークのゲートウェイまでのホップ数が外部ネットワークのゲートウェイまでのホップ数より小さいか、ゲートウェイの加重値が基準値より小さい場合、ハンドオフを行わなくなる（Ｓ２５９）。
【００５８】
一方、アドレス生成部１１０により臨時アドレスが生成されて受信されれば、情報管理部１３４はルータ情報設定部１２０を制御して基本ゲートウェイを外部ネットワークのゲートウェイに設定する過程を経る。
【００５９】
図１２は、基本ゲートウェイを外部ネットワークのゲートウェイに設定する方法が示された図面である。
情報管理部１３４は、アドレス生成部１１０から情報受信部１３１を通じて受信された情報の種類によってルータ情報設定部１２０を制御して基本ゲートウェイを設定する役割を行える。
【００６０】
示されたように、情報管理部１３４は、情報受信部１３１を通じて受信される情報の種類を判断する（Ｓ３１０）。
【００６１】
この際、アドレス生成部１１０から情報受信部１３１を通じて受信される情報は、図１３と同じである。
【００６２】
判断の結果、受信された情報がホームネットワークのルータ情報である場合（Ｓ３２０）、情報管理部１３４は受信されたルータ情報をパージングする（Ｓ３３０）。
【００６３】
次いで、パージングされたルータ情報をハンドオフ設定部１３５に伝送してハンドオフ実行部１４０がホームネットワークでの動作状態を維持するようにする（Ｓ３４０）。
【００６４】
もし、受信された情報の種類が臨時アドレスである場合、情報管理部１３４は受信された臨時アドレスをパージングする（Ｓ３５０）。
【００６５】
この際、パージングされた臨時アドレスによる図１４のように外部ネットワークに属したゲートウェイアドレスを通じて基本ゲートウェイを変更するメッセージをルータ情報設定部１２０に伝送し（Ｓ３６０）、ハンドオフ設定部１３５にハンドオフを行うためのハンドオフ実行要請メッセージを伝送する（Ｓ３７０）。
【００６６】
このように図１２のＳ３７０段階で伝送されたハンドオフ実行要請メッセージによってハンドオフ設定部１３５でハンドオフを行う方法は、図１５と同じである。
【００６７】
示されたように、まずハンドオフ設定部１３５は、情報管理部１３４からハンドオフ実行要請メッセージを受信する（Ｓ４１０）。
【００６８】
この際、ハンドオフ設定部１３５は、受信されたハンドオフ実行要請メッセージによって、図１６のように、アドレス生成部１１０で生成された臨時アドレスを含むハンドオフ実行メッセージをハンドオフ実行部１４０に伝送する（Ｓ４２０）。
【００６９】
ハンドオフ実行部１４０は、伝送されたハンドオフ実行メッセージによって受信されたルータ情報に該当する外部ネットワークへのハンドオフを行う（Ｓ４３０）。
【００７０】
一方、ハンドオフ実行部１４０は、外部ネットワークへのハンドオフ実行が完了すれば、図１７に示されたように、まずハンドオフ実行部１４０がハンドオフ設定部１３５にハンドオフ実行メッセージに対する応答メッセージを伝送する（Ｓ５１０）。
【００７１】
ハンドオフ設定部１３４は、受信された応答メッセージに含まれたライフタイムを確認してハンドオフ実行如何を判断しうる。
【００７２】
言い換えれば、応答メッセージに含まれたライフタイムが０である場合（Ｓ５２０）、無線ネットワーク装置がホームネットワークに移動したことで、ハンドオフがなされていない状態と判断し、ホームネットワークのアドレスを再び反復する（Ｓ５３０）。
【００７３】
もし、ライフタイムが正数である場合、無線ネットワーク装置が外部ネットワークに位置したことで、現在状態を、外部ネットワークにハンドオフが実行完了したと判断する（Ｓ５４０）。
【００７４】
図１９は、前述したような無線ネットワーク装置を用いた通信方法において、無線ネットワーク装置の各状態を示す状態図である。
示されたように、初期に無線ネットワーク装置の電源がオンになれば、無線ネットワーク装置は初期化状態に位置する（６１０）。
【００７５】
この際、無線ネットワーク装置に所定ネットワークについてのルータ情報が存在していない状態であれば（６２０）、所定の無線ネットワークのゲートウェイからルータ情報を受信して該当ゲートウェイのアドレスを受信待機する状態に転換される（６３０）。次いで、該当ネットワークのゲートウェイに対するアドレスを受信すれば、ホームネットワーク内で動作を行う状態となる（６４０）。
【００７６】
もし、初期化状態６１０でホームネットワークについてのルータ情報が存在する場合には、直ちにホームネットワーク内で動作を行う状態となる（６４０）。一方、初期化状態６１０で外部ネットワークについてのルータ情報が存在する場合には、直ちに外部ネットワーク内で動作を行う状態となる（６５０）。
【００７７】
この際、ホームネットワークまたは外部ネットワーク内で動作する状態（６４０、６５０）でハンドオフが実行されれば、アドレス生成部１１０に臨時アドレス生成を要請し、要請された臨時アドレスを受信待機する状態となる（６６０）。
【００７８】
次いで、臨時アドレスを受信すれば、ハンドオフを行う状態（６７０）となり、ホームネットワークでは外部ネットワークで動作する状態（６５０）、外部ネットワークではホームネットワークで動作する状態（６４０）にハンドオフがなされる。
【００７９】
例えば、既存にホームネットワークに位置した状態で外部ネットワークでハンドオフがなされる場合、前述したハンドオフ実行部１２０の応答メッセージに含まれたライフタイムが正数である場合になされ、その反対の場合には、応答メッセージに含まれたライフタイムが０である場合になされる。
【００８０】
以上、添付図を参照して本発明の実施形態を説明したが、本発明は前記実施形態に限定されず、本発明の技術的要旨を外れない範囲内で当業者により多様に変形実施されることができる。
【産業上の利用可能性】
【００８１】
本発明は、無線ネットワーク装置及びそれを用いた通信方法に関連した技術分野に好適に適用されうる
【図面の簡単な説明】
【００８２】
【図１】一般的な無線ネットワークの構造が示された図面である。
【図２】一般的な複数のゲートウェイが設置された無線ネットワークの構造が示された図面である。
【図３】本発明の実施形態による無線ネットワーク装置が示された図面である。
【図４】本発明の実施形態による無線ネットワーク装置で制御部が示された図面である。
【図５】本発明の実施形態による無線ネットワーク装置の通信方法で無線ネットワーク装置の初期化方法が示された図面である。
【図６】本発明の実施形態による無線ネットワーク装置の通信方法で無線ネットワーク間のハンドオフを決定する方法が示された図面である。
【図７】本発明の実施形態による無線ネットワーク装置が受信するルータ情報が示された図面である。
【図８】本発明の実施形態による無線ネットワーク装置が受信するルータ情報に含まれたＤＮＳ情報が示された図面である。
【図９】本発明の実施形態による無線ネットワーク装置を用いた通信方法において、受信されたルータ情報によってハンドオフを決定する方法が示された図面である。
【図１０】本発明の実施形態による無線ネットワーク装置を用いた通信方法において、ハンドオフ時にアドレス生成部に伝送されるルータ情報が示された図面である。
【図１１】本発明の実施形態による無線ネットワーク装置を用いた通信方法において、ハンドオフ時にアドレス生成部に伝送されるルータ情報に含まれたＤＮＳ情報が示された図面である。
【図１２】本発明の実施形態による無線ネットワーク装置のハンドオフ完了如何を判断する方法が示された図面である。
【図１３】本発明の実施形態による無線ネットワーク装置を用いた通信方法において、ハンドオフ時に情報管理部に受信される臨時アドレス情報が示された図面である。
【図１４】本発明の実施形態による無線ネットワーク装置を用いた通信方法において、ハンドオフ時に情報管理部に受信されるゲートウェイ情報が示された図面である。
【図１５】本発明の実施形態による無線ネットワーク装置を用いた通信方法において、ハンドオフ実行方法が示された図面である。
【図１６】本発明の実施形態による無線ネットワーク装置を用いた通信方法において、ハンドオフ実行部に伝送される臨時アドレス情報が示された図面である。
【図１７】本発明の実施形態による無線ネットワーク装置のハンドオフ完了時に動作される無線ネットワークを判断する方法が示された図面である。
【図１８】本発明の実施形態による無線ネットワーク装置を用いた通信方法において、ハンドオフ実行部からハンドオフ設定部に伝送される応答情報が示された図面である。
【図１９】本発明の実施形態による無線ネットワーク装置のハンドオフ時の状態が示された図面である。
【符号の説明】
【００８３】
１１０      アドレス生成部
１２０      ルータ情報設定部
１３０      制御部
１４０      ハンドオフ実行部
１５０      メッセージ送受信部
【図１】
2006115514.tif 000003
【図２】
2006115514.tif 000004
【図３】
2006115514.tif 000005
【図４】
2006115514.tif 000006
【図５】
2006115514.tif 000007
【図６】
2006115514.tif 000008
【図７】
2006115514.tif 000009
【図８】
2006115514.tif 000010
【図９】
2006115514.tif 000011
【図１０】
2006115514.tif 000012
【図１１】
2006115514.tif 000013
【図１２】
2006115514.tif 000014
【図１３】
2006115514.tif 000015
【図１４】
2006115514.tif 000016
【図１５】
2006115514.tif 000017
【図１６】
2006115514.tif 000018
【図１７】
2006115514.tif 000019
【図１８】
2006115514.tif 000020
【図１９】
2006115514.tif 000021